(57)【要約】【課題】相違する光ディスク規格の一方の光ディスクに対して第１情報層及び第２情報層間クロストークを対策した光ピックアップ装置において他方の光ディスクにおける情報層間のクロストーク対策効果が一方の光ディスクにおける情報層間のクロストーク対策効果と同等に確保される複数層光ディスクを提供する。【解決手段】第１光ディスク規格の第１情報層７及び第２情報層９間をＬ１とすると共に、光ピックアップ装置の対物レンズのＮＡをＮＡ１とし、第２光ディスク規格の第１情報層１７，２７及び第２情報層１９，２９間をＬ２とすると共に、光ピックアップ装置の対物レンズのＮＡをＮＡ２とすると、第２光ディスク規格における第１情報層及び第２情報層間Ｌ２が、Ｌ２＝Ｌ１×（ＮＡ１）２／（ＮＡ２）２の関係を満足するようにしている。【選択図】図１
2008152889.tif 000002
【特許請求の範囲】
【請求項１】
光ピックアップ装置から出射するレーザ光を同一面側から入射して第１情報層及び第２情報層に照射する構造の光ディスクであって、第１光ディスク規格の物理仕様に則した第１情報層及び第２情報層間をＬ１とすると共に、光ピックアップ装置の対物レンズのＮＡをＮＡ１とし、第１光ディスク規格とは相違する第２光ディスク規格の物理仕様に則した第１情報層及び第２情報層間をＬ２とすると共に、光ピックアップ装置の対物レンズのＮＡをＮＡ２とすると、第２光ディスク規格における第１情報層及び第２情報層間Ｌ２が、Ｌ２＝Ｌ１×（ＮＡ１）２／（ＮＡ２）２の関係を満足するように設定された光ディスク。
【請求項２】
光ピックアップ装置から出射するレーザ光の入射面側から順に第１情報層及び第２情報層とした場合、第２光ディスク規格における光ディスクの第１情報層を信号データが前記レーザ光により書き込まれる、あるいは信号データがあらかじめ書き込まれた信号層とし、前記光ディスクの第２情報層を前記レーザ光によりレーベル情報が可視画像により書き込み可能なレーベル層としたことを特徴とする請求項１記載の光ディスク。
【請求項３】
光ピックアップ装置から出射するレーザ光の入射面側から順に第１情報層及び第２情報層とした場合、第２光ディスク規格における光ディスクの第１情報層及び第２情報層を信号データが前記レーザ光により書き込まれる、あるいは信号データがあらかじめ書き込まれた信号層としたことを特徴とする請求項１記載の光ディスク。
【発明の詳細な説明】
【技術分野】
【０００１】
本発明は、光ピックアップ装置から出射するレーザ光を同一面側から入射して第１情報層及び第２情報層に照射する構造の光ディスクに関し、特に、光ピックアップ装置から出射するレーザ光の入射面側から順に第１情報層及び第２情報層とし、第１情報層を信号データが書き込まれる、あるいは信号データがあらかじめ書き込まれた信号層とすると共に、第２情報層をレーベル層として好適な光ディスクに関する。
【背景技術】
【０００２】
光ピックアップ装置から出射されるレーザ光を用いて光学的に記録再生する光ディスクとしてＤＶＤ(Digital Versatile Disc)及びＣＤ（Compact Disc）が普及しており、ＤＶＤにおいては、信号データが書き込まれる、あるいは信号データがあらかじめ書き込まれた信号層である情報層が２層になっている２層ディスクが存在する。
【０００３】
この２層ディスクとしては、光ピックアップ装置から出射するレーザ光を同一面側から入射して各情報層に対して信号データの再生、あるいは記録が行えるようにレーザ光の入射面に近い１層目の情報層を使用レーザ光に対して半透過特性を有して形成し、１層目の情報層によりＤＶＤ規格の規定を確保した所定反射率により反射光が得られるようにすると共に、２層目の情報層によりＤＶＤ規格の規定を確保した所定反射率により反射光が得られるようにして光ピックアップ装置の光検出器により各情報層に対してＲＦ信号及び各種サーボ信号が得られるようになっている(例えば、特許文献１参照)。
【０００４】
このような２層ディスクは、各情報層の間隔の関係、及び光ピックアップ装置の光学設計の関係から光ピックアップ装置から出射するレーザ光を１層目の情報層に合焦させている状態において、光ピックアップ装置の光検出器に２層目の情報層の反射光が１層目の情報層の反射光に被って受光されることにより光検出器の各受光出力に影響を及ぼして各種サーボを不安定にすることが知られている。その為、２層ディスクに対応の光ピックアップ装置は、レーザ光を１層目の情報層に合焦させている状態における２層目の情報層の反射光による影響を受け難くする層間のクロストーク対策を施して光学設計する必要がある。
【０００５】
ところで、光ディスクに記録した内容に則ったレーベル情報を表示することが行われる。レーベル情報を光ディスクに表示するには、従来、レーベル情報を印刷したり、手書きされることにより行われることが多かったが、最近、光ディスクに光ピックアップ装置により照射されるレーザ光により感応されるレーベル層を設けて光ディスクにレーベル情報を可視画像により記録する技術が開発されている(例えば、特許文献２参照)。
【０００６】
図２はレーベル層を備えるＣＤの断面構造を模式的に説明する説明図である。このＣＤの場合、光ピックアップ装置からのレーザ光が入射される入射面側から順に透明基板層１、第１情報層である信号層２、中間層３、第２情報層であるレーベル層４及び被覆層５が積層される構造となっている。前記信号層２は、光ディスクが再生専用かＲ（Recordable）系かＲＷ（ReWritable）系かの種類によって構成が相違し、再生専用の場合、信号データがあらかじめ書き込まれた反射層により構成され、Ｒ系の場合、信号データが書き込まれる有機色素の記録層により主要部が構成され、ＲＷ系の場合、信号データが書き込まれる相変化材料の記録層により主要部が構成される。
【特許文献１】特開２００５−２５９２３号公報
【特許文献２】特開２００２−２０３３２１号公報
【発明の開示】
【発明が解決しようとする課題】
【０００７】
ところで、光ディスクにレーベル情報の可視画像を記録する場合は、通常、光ピックアップ装置からのレーザ光を信号層に照射する際の入射面となる透明基板の表面と反対面側からレーザ光をレーベル層に照射してレーベル情報を記録する。その為、レーベル情報記録時には光ディスクを記録あるいは再生を行う場合の向きに対して裏返す必要がある。
【０００８】
また、ＣＤの場合、光ピックアップ装置からのレーザ光を前記レーベル層に照射する際のレーザ光の入射面から前記レーベル層までの距離が光ピックアップ装置からのレーザ光を情報層に照射する際のレーザ光の入射面となる透明基板層の表面から前記情報層までの距離より著しく短い。すなわち、前記レーベル層に到達するまでにレーザ光が光ディスクを透過する距離が前記情報層に到達するまでにレーザ光が光ディスクを透過する距離に比べて著しく短い。
【０００９】
光ピックアップ装置はレーザ光が信号層に到達するまでの透明基板層の厚みを考慮してＮＡや球面収差などの光学特性が設定されている。その為、光ディスクを裏返してレーベル層にレーベル情報を記録する場合、レーザ光の光ディスクを透過する距離が信号層に到達するまでとレーベル層に到達するまでとで大きく相違すると、レーザ光の球面収差が適切に補正されずにレーベル層に照射されるレーザ光のスポット径を適切に絞れなかったり、品質劣化が生じた。この結果、レーベル層を記録するレーザ強度に不十分となったり、レーベル層の記録を高速化するのに不利であったり、あるいは高感度の感光剤や感熱剤を用いたレーベル層を必要としたり、高出力のレーザ光源を必要とした。更に、フォーカスサーボが不安定となった。
【００１０】
そこで、信号層に対してレーザ光を入射する同一面から光ピックアップ装置のレーザ光を入射してレーベル層に照射するようにし、光ディスクを裏返す手間を無くすと共に、レーザ光の球面収差を減らすべくレーベル情報を記録するレーベル情報記録方法が望まれる。
【００１１】
ところで、レーザ光を入射する入射面を信号層とレーベル層とで同一面にした場合において、信号層とレーベル層との間隔は光ディスクの規格に則って決定されているディスク厚及び透明基板層厚、光ディスクの製造上での規制やレーベル層に照射されるレーザ光の球面収差等の光学特性などの種々の条件を考慮して決定され、信号層とレーベル層との間隔の自由度が少なく、前述した２層ディスクの場合と同様にレーザ光を信号層に合焦させている状態においてレーベル層の反射光による影響が光検出器の各受光出力に表れる度合いが無視できず、レーベル層の反射光によるクロストークが問題となった。
【００１２】
また、ＤＶＤの場合は２層ディスクが存在するので、２層ディスク対応のＤＶＤ用光ピックアップ装置においては、前述したようにレーザ光を１層目の情報層に合焦させている状態における２層目の情報層の反射光による影響を受け難くするように層間のクロストーク対策されて光検出器の各受光領域の配置及び形状が設定されるが、ＤＶＤとは対物レンズの適合開口数ＮＡ（Numerical Aperture）及びレーザ光の適合波長が相違する別規格の光ディスクにおいて規格化された新規２層ディスクをＤＶＤ対応の光ディスク装置に互換性を持たせる場合、その光ディスク装置に使用の光ピックアップ装置を２層のＤＶＤに対してのみでなく新規２層ディスクに対しても層間のクロストーク対策を施した設計をしなければならず、前記光ピックアップ装置としては一般に各光ディスクに適合する複数波長対応の対物レンズを用いると共に共通光学系を用いて構成されることから新規２層ディスクに対して互換性を確保するのが困難となった。
【００１３】
本発明は、相違する光ディスク規格の一方の光ディスクに対して第１情報層及び第２情
報層間のクロストーク対策を施した光ピックアップ装置において他方の光ディスクにおける第１情報層及び第２情報層間のクロストーク対策効果が一方の光ディスクにおける第１情報層及び第２情報層間のクロストーク対策効果と同等に確保される複数層光ディスクを提供することを課題とする。
【課題を解決するための手段】
【００１４】
本発明に係る光ディスクは、第１光ディスク規格の物理仕様に則した第１情報層及び第２情報層間をＬ１とすると共に、光ピックアップ装置の対物レンズのＮＡをＮＡ１とし、第１光ディスク規格とは相違する第２光ディスク規格の物理仕様に則した第１情報層及び第２情報層間をＬ２とすると共に、光ピックアップ装置の対物レンズのＮＡをＮＡ２とすると、第２光ディスク規格における第１情報層及び第２情報層間Ｌ２が、Ｌ２＝Ｌ１×（ＮＡ１）２／（ＮＡ２）２の関係を満足するように設定されている。
【００１５】
これにより光ピックアップ装置の光検出器上に受光される各受光スポットの配置位置の関係が第１光ディスク規格の光ディスクと第２光ディスク規格の光ディスクとで同等になり、第１光ディスク規格の光ディスクと第２光ディスク規格の光ディスクとで光ピックアップ装置のサーボ的な条件が同等になるようしている。
【発明の効果】
【００１６】
本発明に依れば、第２の光ディスク規格の光ディスクに対する第１情報層及び第２情報層間のクロストークに関する条件が第１の光ディスク規格の光ディスクに対する第１情報層及び第２情報層間のクロストークに関する条件と同等になるので、第１の光ディスク規格の光ディスクの仕様に基づいて第１情報層及び第２情報層間のクロストークを対策して設計された光ピックアップ装置を用いることで第２の光ディスク規格の光ディスクにおける第１情報層及び第２情報層間のクロストーク対策効果が基準となる第１の光ディスク規格の光ディスクにおける第１情報層及び第２情報層間のクロストーク対策効果と同等に確保され、基準となった光ディスク規格と相違する光ディスク規格において光ピックアップ装置のサーボ系が安定される複数層光ディスクを提供することができる。
【００１７】
前記第２の光ディスク規格の光ディスクにおいて第１情報層及び第２情報層をそれぞれ信号層及びレーベル層とした場合、第１の光ディスク規格の第１情報層及び第２情報層を備える光ディスクに対応させて設計した仕様の光ピックアップ装置により信号層に対してレーザ光を入射する同一面からレーザ光を入射してレーベル層への書き込みを行わせるようにした際の信号層の記録時、あるいは再生時にレーベル層からのクロストークの影響を受け難くするのに有利な光ディスクが提供できる。
【００１８】
また、前記第２の光ディスク規格の光ディスクにおいて第１情報層及び第２情報層を共に信号層とした場合、第１の光ディスク規格の第１情報層及び第２情報層を備える光ディスクに対応させて設計した光ピックアップ装置により前記第２の光ディスク規格の光ディスクの各信号層に対して層間クロストークの影響を受け難くするのに有利であり、光ピックアップ装置に対する互換性に有利な光ディスクが提供できる。
【実施例１】
【００１９】
図１は本発明に係る光ディスクを説明する説明図であり、図１（ａ）はＤＶＤの２層ディスクの断面構造を模式的に説明する説明図であり、図１（ｂ）はレーベル層付きＣＤの断面構造を模式的に説明する説明図である。
【００２０】
図１（ａ）に示すＤＶＤは半面ディスクを２枚貼り合わされて構成され、ディスクドライブ装置に装着された状態で信号記録や信号再生時に光ピックアップ装置からのレーザ光が入射される入射面側から順に第１透明基板層６、第１信号層７、中間層８、第２信号層
９及び第２透明基板層１０が積層される構造となっている。
【００２１】
第１信号層７及び第２信号層９には、それぞれ信号データが光ピックアップ装置からのレーザ光により書き込まれる、あるいは信号データがあらかじめ書き込まれている。第１信号層７及び第２信号層９はそれぞれ特許請求の範囲における第１情報層及び第２情報層に対応する。
【００２２】
そして、ＤＶＤはＤＶＤ規格の物理仕様に則してディスク厚が１．２ｍｍ＋０．３ｍｍ、１．２ｍｍ−０．０６ｍｍに設定され、また、第１透明基板層６及び第２透明基板層１０の厚みが現行の主要基材であるポリカーボネート（屈折率１．５８±０．０２）の場合でそれぞれ０．６ｍｍ±０．０３ｍｍ（基材の屈折率によって許容される厚みに変化あり）に設定されている。
【００２３】
第１透明基板層６及び第２透明基板層１０は、ＤＶＤ規格の物理仕様に規定された屈折率（１．５５±０．１０）の材質により構成されると共に、ＤＶＤに適した波長６５０ｎｍ／６３５ｎｍのレーザ光に対して十分な透明性を有する材質により形成され、かつ温度・湿度変化に対する形状安定性における特性が条件を満足するようにＣＤやＤＶＤの透明基板層として一般的なポリカーボネイト、あるいはポリカーボネイトと前記特性が同等あるい近似し、ＤＶＤの透明基板層としての条件を満たすＰＭＭＡ（ポリメチル・メタアクリレート）、あるいはポリスチロール、アリル系樹脂などが樹脂組成材料として用いられる。
【００２４】
前記第１信号層７及び第２信号層９はディスクの種類によって構成が相違し、例えば再生専用のＤＶＤ−ＲＯＭ対応ディスクの場合、前記第１信号層７及び第２信号層９はアルミニウムや銀などの金属薄膜の反射層により構成され、Ｒ（Recordable）系ディスクの場合、前記第１信号層７及び第２信号層９は有機色素の記録層とこの記録層の奥に形成される反射層により構成され、ＲＷ（ReWritable）系のＣＤ−ＲＷ対応ディスクの場合、前記第１信号層７及び第２信号層９は相変化材料の記録層とこの記録層を挟む誘電体層及び奥側の誘電体層の奥に形成される反射層により構成される。
【００２５】
レーザ光の入射面側の第１信号層７は、光ピックアップ装置から出射されるＤＶＤに適合する赤色波長帯６３０ｎｍ〜６７５ｎｍのレーザ光に対して半透過特性を有し、Ｒ系光ディスクで１８％〜３０％間の所定の反射率を有している。
【００２６】
第１信号層７及び第２信号層９間の中間層８の厚みは規格値である５５μｍ±１５μｍになっており、前記中間層８はＤＶＤの適合波長のレーザ光に対する光学特性が第１透明基板層６と同等となるように第１透明基板層６と同一素材で接着の役割を果たせる紫外線硬化樹脂を用いて構成されるのが好ましい。
【００２７】
図１（ｂ）に示すＣＤはディスクドライブ装置に装着された状態で信号記録や信号再生時に光ピックアップ装置からのレーザ光が入射される入射面側から順に透明基板層１６、信号層１７、中間層１８、レーベル層１９及び被覆層２０が積層される構造となっており、そして、既存のＣＤ規格の物理仕様に則してディスク厚（１．２ｍｍ＋０．３ｍｍ、１．２ｍｍ−０．１ｍｍ）及び透明基板層１６の厚み（１．２ｍｍ±０．１ｍｍ）が設定されている。
【００２８】
前記信号層１７はディスクの種類によって構成が相違し、例えば再生専用のＣＤ−ＲＯＭ対応ディスクの場合、前記信号層１７はアルミニウムや銀あるいは金などの金属薄膜の反射層により構成され、ＣＤ−Ｒ対応ディスクの場合、前記信号層１７は有機色素の記録層とこの記録層の奥に形成される反射層により構成され、ＣＤ−ＲＷ対応ディスクの場合
、前記信号層１７は相変化材料の記録層とこの記録層を挟む誘電体層及び奥側の誘電体層の奥に形成される反射層により構成される。
【００２９】
図１（ｂ）に示すディスクの信号層１７の反射層は半透明となっており、前記信号層７はＤＶＤの２層ディスクのように光ピックアップ装置から出射されるＣＤに適合する赤外波長帯７６５ｎｍ〜８０５ｎｍのレーザ光に対して半透過特性を有し、Ｒ系光ディスク（ＣＤ−Ｒ）で１５％〜４５％間の所定の反射率を有している。
【００３０】
透明基板層１６としては、ＣＤに適した波長のレーザ光に対して十分な透明性を有する材質により形成されると共に、光学性能や温度・湿度変化に対する形状安定性における特性が条件を満足するポリカーボネイトが一般的に使用され、ポリカーボネイトと前記特性が同等あるい近似し、ＣＤの透明基板層としての条件を満たすＰＭＭＡ（ポリメチル・メタアクリレート）、あるいはポリスチロール、アリル系樹脂などが樹脂組成材料として用いられる。
【００３１】
レーベル層１９はＣＤに適合する赤外波長帯のレーザ光が収束されて照射されることにより発生する熱に感熱作用を有する感熱剤により構成され、あるいはＣＤに適合する赤外波長帯のレーザ光の波長に感光する感光作用を有する感光剤により構成され、感熱剤や感光剤等の感応による変色作用によってレーベル情報が可視画像によって形成される。
【００３２】
信号層１７及びレーベル層１９はそれぞれ特許請求の範囲における第１情報層及び第２情報層に対応する。
【００３３】
中間層１８は、ＣＤの適合波長のレーザ光に対する光学特性が透明基板層１６と同等となるように透明基板層１６と同一素材でコーティングなどにより形成可能な紫外線硬化樹脂を用いて構成される。
【００３４】
ところで、中間層１８の厚みＬ２はＤＶＤの２層ディスクを基準にしてそれに光ピックアップ装置の各ディスクに適合する対物レンズのＮＡを考慮して決定される。
【００３５】
ＤＶＤ規格の物理仕様に則した第１情報層及び第２情報層間、すなわち図１（ａ）のＤＶＤの第１信号層７及び第２信号層９間の中間層８の厚みをＬ１とし、ＤＶＤに適合の対物レンズのＮＡをＮＡ１とし、ＣＤに適合の対物レンズのＮＡをＮＡ２とすると、中間層１８の厚みＬ２はＬ２＝Ｌ１×（ＮＡ１）２／（ＮＡ２）２の関係を満足するように設定されている。
【００３６】
ＤＶＤの２層ディスクの中間層８の厚みＬ１は５５μｍ中心であり、ＤＶＤに適合の対物レンズのＮＡであるＮＡ１は０．６０〜０．６６（当初の０．６０から大きくなってきている）であり、ＣＤに適合の対物レンズのＮＡであるＮＡ２は０．４５〜０．５１（当初の０．４５から大きくなってきている）であるので、レーベル層付きＣＤの中間層１８の厚みＬ２は前記関係式より約７６μｍ〜約１１８μｍ中心となる。
【００３７】
レーベル層付きＣＤの中間層１８の厚みＬ２が前記関係式を満足するように設定される光ディスクは、ＤＶＤの２層ディスク対応のディスクドライブ装置に搭載される光ピックアップ装置を想定しており、レーベル層１９にレーベル情報を書き込む際には光ディスクが信号記録あるいは信号再生時と同様の向きにディスクドライブ装置に装填されて前記光ピックアップ装置から出射されるＣＤに適合するＣＤ用レーザ光を透明基板層１６側から入射する。
【００３８】
透明基板層１６に入射されたＣＤ用レーザ光は、透明基板層１６、信号層１７及び中間
層１８を透過してレーベル層１９に到達する。このレーベル層１９に到達するＣＤ用レーザ光は、信号層１７による反射により減衰されるが、レーベル層１９にレーベル情報を書き込むのに十分な光量となるようにレーベル層１９の感熱剤あるいは感光剤の感応感度を考慮して前記信号層１７の反射率が設定されている。
【００３９】
ＤＶＤの２層ディスク対応の光ピックアップ装置は、ＤＶＤの２層ディスクにおいてレーザ光の入射面側の第１信号層７に合焦させてレーザ光を照射する際に光ピックアップ装置の光検出器から出力される各受光出力に第２信号層９から反射されるレーザ光の影響が現れるのを抑制するようにクロストーク対策が施されて設計されており、光ピックアップ装置のサーボ系（フォーカスサーボ、トラッキングサーボ及びチルトサーボ）を破綻させないようになっている。
【００４０】
前記光ピックアップ装置は、図１（ａ）に示すＤＶＤの２層ディスク及び図１（ｂ）に示すレーベル層付きＣＤの各光ディスクに適合する少なくとも２波長対応の対物レンズが共用されると共に光検出器に導く光学系が共用される構成となっており、フォーカス制御方法として差動非点収差法が採用されたり、トラッキング制御方式として差動プッシュプル法や３ビーム法が採用されたりして光ディスクに照射されるレーザ光を回折格子により３ビームに分離する構成となっている。
【００４１】
光ピックアップ装置の光検出器上に受光される各受光スポットの配置位置は、対物レンズのＮＡの２乗に反比例する関係となる。その為、光ピックアップ装置のＣＤ用光学系において先の関係式を満たすレーベル層付きＣＤの信号層１７に対するレーベル層１９の距離は光ピックアップ装置のＤＶＤ用光学系においてＤＶＤの２層ディスクの第１信号層７に対する第２信号層９の距離と光ピックアップ装置のサーボ的に同等な条件が得られる関係となる。
【００４２】
したがって、前記光ピックアップ装置において、先の関係式を満たすレーベル層付きＣＤはＤＶＤの２層ディスクと同等のクロストーク対策効果が確保されて信号層１８への信号記録あるいは信号再生が行われるようになっている。
【実施例２】
【００４３】
図３はＤＶＤより高密度化が図られた光ディスクの２層ディスクの断面構造を模式的に説明する説明図である。
【００４４】
図３に示す高密度光ディスクは適合する光ピックアップ装置の対物レンズのＮＡとして０．６５を想定すると共に、信号記録あるいは信号再生に適合するレーザ光の波長として青紫色波長帯の４００ｎｍ〜４２０ｎｍを想定している。
【００４５】
前記高密度光ディスクは、図１（ａ）に示すＤＶＤの２層ディスクと同様に、光ピックアップ装置からのレーザ光が入射される入射面側から順に第１透明基板層２６、第１信号層２７、中間層２８、第２信号層２９及び第２透明基板層３０が積層される構造となっており、半面ディスクを２枚貼り合わされて構成され、ディスク厚がＤＶＤ規格の物理仕様に則している。そして、第１信号層２７は半透過特性を有し、第１信号層２７及び第２信号層２９に対する信号記録あるいは信号再生は第１透明基板層２６側から入射される光ピックアップ装置のレーザ光により行われるようになっている。
【００４６】
第１透明基板層２６及び第２透明基板層３０はポリカーボネートにより構成されており、中間層２８は適合波長のレーザ光に対する光学特性が第１透明基板層２６及び第２透明基板層３０と同一素材のポリカーボネート系の紫外線硬化樹脂を用いて構成されている。
【００４７】
中間層２８の厚みＬ２’はＤＶＤの２層ディスクを基準にしてそれに光ピックアップ装置の各ディスクに適合する対物レンズのＮＡを考慮して決定され、高密度光ディスクに適合の対物レンズのＮＡをＮＡ２’とすると、中間層２８の厚みＬ２’はＬ２’＝Ｌ１×（ＮＡ１）２／（ＮＡ２’）２の関係を満足するように設定されている。
【００４８】
図１（ａ）のＤＶＤの２層ディスクの中間層８の厚みＬ１は５５μｍ中心であり、ＤＶＤに適合の対物レンズのＮＡであるＮＡ１を０．６０とし、高密度光ディスクに適合の対物レンズのＮＡであるＮＡ２’を０．６５とすると、高密度光ディスクの中間層２８の厚みＬ２’は前記関係式より約４７μｍ中心となる。
【００４９】
高密度光ディスクに対応させる光ピックアップ装置において、対物レンズ他所定の光学系を共用する構成でＤＶＤの２層ディスクに対応させる場合、光ピックアップ装置の高密度光ディスク用光学系において先の関係式を満たす高密度光ディスクの第１信号層２７に対する第２信号層２９の距離は光ピックアップ装置のＤＶＤ用光学系においてＤＶＤの２層ディスクの第１信号層７に対する第２信号層９の距離と光ピックアップ装置のサーボ的に同等な条件が得られる関係となる。
【００５０】
その為、高密度光ディスク対応の光ピックアップ装置をＤＶＤの２層ディスクに対してフォーカスサーボ、トラッキングサーボ及びチルトサーボを破綻させないようにクロストーク対策を施して設計することにより、先の関係式を満たす高密度光ディスクにおいて、ＤＶＤの２層ディスクと同等のクロストーク対策効果が確保されて第１信号層２７への信号記録あるいは信号再生が行われることが期待できる。
【００５１】
尚、上述の実施例においては、第１情報層及び第２情報層がそれぞれ第１信号層２７及び第２信号層２９であり、信号層が２層になっているので、光ピックアップ装置のレーザ光の入射面と反対側表面となる第２透明基板層３０の表面にレーベルとなる被覆層を設けることも好適である。
【００５２】
本実施例の高密度光ディスクにおいて、第２信号層２９の代わりにレーベル層を設ける場合も前記関係式が満足するように第１信号層２７に対して前記レーベル層の距離を設定することによりＤＶＤの２層ディスクと同等のクロストーク対策効果が確保されることになる。
【図面の簡単な説明】
【００５３】
【図１】本発明に係る光ディスクを説明する説明図であり、図１（ａ）はＤＶＤの２層ディスクの断面構造を模式的に説明する説明図であり、図１（ｂ）はレーベル層付きのＣＤの断面構造を模式的に説明する説明図である。
【図２】既存の光ディスクであるレーベル層を備えるＣＤの断面構造を説明する説明図である。
【図３】ＤＶＤより高密度化が図られた光ディスクの２層ディスクの断面構造を模式的に説明する説明図である。
【符号の説明】
【００５４】
７        第１信号層（第１光ディスク規格の第１情報層）
９        第２信号層（第１光ディスク規格の第２情報層）
１７        信号層（第２光ディスク規格の第１情報層）
１９        レーベル層（第２光ディスク規格の第２情報層）
２７        第１信号層（第２光ディスク規格の第１情報層）
２９        第２信号層（第２光ディスク規格の第２情報層）
６，１０，１６，２６，３０        透明基板層
８，１８，２８        中間層
【図１】
2008152889.tif 000003
【図２】
2008152889.tif 000004
【図３】
2008152889.tif 000005